(57)【特許請求の範囲】
【請求項１】
原子力発電所の放射線管理区域内をよう素除去対象区域とよう素除去対象外区域とに区分し、前記放射線管理区域に送風機と給気ダクトを接続し、前記よう素除去対象外区域に排気ダクトを接続し、この排気ダクトの下流側に排気フィルタケーシングおよび排風機を接続し、前記よう素除去対象区域にバイパスダクトの流入側を接続し、このバイパスダクトの流出側を前記排気ダクトに接続し、バイパスダクトにバタフライダンパを設け、前記バタフライダンパをバイパスして前記バイパスダクトにチャコールエアフィルタおよび高性能粒子フィルタを有するフィルタ装置を設け、前記バイパスダクトと前記フィルタ装置との間にバイパス切替用ダンパを設けてなることを特徴とする原子力発電所の換気空調設備。
【請求項２】
原子力発電所の放射線管理区域内をよう素除去対象区域とよう素除去対象外区域とに区分し、前記よう素除去対象区域内に高性能粒子フィルタとチャコールエアフィルタを有する着脱自在のフィルタ装置を設置し、この着脱自在のフィルタ装置の下流側に排気ラインを接続し、前記よう素除去対象外区域に排気ダクトを接続し、この排気ダクトに前記排気ラインを接続し、前記排気ダクトの下流側に排気フィルタケーシングおよび排風機を接続してなることを特徴とする原子力発電所の換気空調設備。
【発明の詳細な説明】
【０００１】
【発明の属する技術分野】
本発明は設備開放点検時に発生する放射性よう素の放出量を低減するための原子力発電所の換気空調設備に関する。
【０００２】
【従来の技術】
一般に、原子力発電所の換気空調設備は建屋、つまり放射線管理区域外への放射性よう素放出の低減を図るため、フィルタを通過させてから排気を行っている。また、各建屋の換気空調設備においては、各設備の開放点検時に通常時以上のよう素を放出することがある。
【０００３】
図３により従来の原子力発電所の換気空調設備の一例を概略的に説明する。図３において、符号１は送風機で、送風機１を給気ダクト２により建屋内の放射線管理区域３に接続し、放射線管理区域３に排気ダクト４を接続し、排気ダクト４の下流側に排気フィルタケーシング５，排風機６および排気筒７を接続している。送風機１，排気フィルタケーシング５および排風機６は各々２台並列に設置している。
【０００４】
また、例えば特開平４− 50798号公報には原子力発電所の原子炉事故時に、フィルタ装置を介して建屋内空気の放射性物質の除去を行い、この放射能が除去された建屋内空気を排気筒を介して排気する非常用ガス処理設備の前記フィルタ装置と排気筒を連絡する配管に、原子炉格納容器内の雰囲気を排気するベント配管を接続してなる放出放射能低減装置が開示されている。
【０００５】
図３に示した従来例では、外気は送風機１により給気ダクトを介して放射線管理区域３へ給気される。放射線管理区域３からの排気は排気ダクト４を通過した後、よう素放出の低減を図るため、排気フィルタケーシング５を通し排風機６により排気筒７から建屋外へ放出される。
【０００６】
【発明が解決しようとする課題】
図３に示した従来例では各設備の開放点検時においても通常時と同様の排気を行うことから、つぎの(1) から(3) の課題がある。すなわち、(1) 各設備開放点検時において、通常時以上のよう素を放出する場合があり、(2) 通常時排気ラインと設備開放点検時排気ラインが同一のものであり、(3) よう素低減対象区域排出ラインと非対象区域ラインが同一のものである。
【０００７】
特開平４− 50798号公報ではフィルタを介する排気ラインを並列に設置して、非常用ガス処理設備により放射性物質を除去し低減する装置を対象としており、設備開放点検時に発生する放射性よう素の放出量を低減することはできない課題である。
【０００８】
本発明は上記課題を解決するためになされたもので、よう素除去対象区域における各設備開放点検時の放射性よう素およびダストの放出低減を図ることのできる原子力発電所の換気空調設備を提供することにある。
【０００９】
【課題を解決するための手段】
請求項１の発明は、原子力発電所の放射線管理区域内をよう素除去対象区域とよう素除去対象外区域とに区分し、前記放射線管理区域に送風機と給気ダクトを接続し、前記よう素除去対象外区域に排気ダクトを接続し、この排気ダクトの下流側に排気フィルタケーシングおよび排風機を接続し、前記よう素除去対象区域にバイパスダクトの流入側を接続し、このバイパスダクトの流出側を前記排気ダクトに接続し、バイパスダクトにバタフライダンパを設け、前記バタフライダンパをバイパスして前記バイパスダクトにチャコールエアフィルタおよび高性能粒子フィルタを有するフィルタ装置を設け、前記バイパスダクトと前記フィルタ装置との間にバイパス切替用ダンパを設けてなることを特徴とする。
【００１０】
請求項１の発明によれば、外気を送風機からよう素除去対象外区域に給気し、よう素除去対象外区域の排気を排気ダクトにより行う。よう素除去対象区域の排気は通常時、フィルタ装置側バタフライダンパを閉とすることによりバタフライダクトを介して行う。設備開放点検時はバイパスダクト側バタフライダンパを閉とすることにより高性能フィルタおよびチャコールエアフィルタを通して放射性よう素およびダクトの放出低減を図ることができる。また、通常運転中とよう素除去運転時にチャコールエアフィルタのバイパス等を切替えることができるため、チャコールエアフィルタの性能を長期的に維持できる。さらに、通常運転中とよう素除去運転時にチャコールエアフィルタの切替えをバイパス切替用ダンパにより行うことができる。
【００１４】
請求項２の発明は、原子力発電所の放射線管理区域内をよう素除去対象区域とよう素除去対象外区域とに区分し、前記よう素除去対象区域内に高性能粒子フィルタとチャコールエアフィルタを有する着脱自在のフィルタ装置を設置し、この着脱自在のフィルタ装置の下流側に排気ラインを接続し、前記よう素除去対象外区域に排気ダクトを接続し、この排気ダクトに前記排気ラインを接続し、前記排気ダクトの下流側に排気フィルタケーシングおよび排風機を接続してなることを特徴とする。
【００１５】
請求項２の発明によれば、外気を送風機でよう素除去対象外区域に給気し、よう素除去対象区域の排気を着脱自在のフィルタ装置を通して行う。フィルタ装置を流出する排気は排気ダクトを通してよう素除去対象外区域の排気とともに排気フィルタケーシングおよび排風機により排気筒から屋外へ放出される。
【００１６】
【発明の実施の形態】
図１により本発明に係る原子力発電所の換気空調設備の第１の実施の形態を説明する。
図１において、放射線管理区域３は例えば建屋で、建屋内はよう素除去対象区域８とよう素除去対象外区域９に区分されている。よう素除去対象外区域９には給気ダクト２と排気ダクト４が接続しており、給気ダクト２には送風機１が接続し、排気ダクト４の下流側には排気フィルタケーシング５と排風機６が直列接続し、排風機６の吐出側には排気筒７が接続している。
【００１７】
よう素除去対象区域８にはバイパスダクト10の入口側が接続し、バイパスダクト10の出口側は排気フィルタケーシング５の流入側の排気ダクト４に接続している。バイパスダクト10にはバイパスダクト側バタフライダンパ14が接続しており、このバタフライダンパ14の両側から分岐してフィルタ装置切替ダンパ15，15ａが接続し、このフィルタ装置切替ダンパ15，15ａ間にバイパス側フィルタ装置11が接続している。バイパス側フィルタ装置11は高性能粒子フィルタ12とチャコールエアフィルタ13が直列配置されたものからなっている。
【００１８】
上記実施の形態において、外気は送風機１により給気ダクト２を通して放射線管理区域３のよう素除去対象外区域９に流入し給気される。よう素除去対象外区域９の排気は排気ダクト４を通して行い、よう素除去対象区域８の排気はバイパスダクト10を通して行う。
【００１９】
よう素除去対象区域８の排気は通常時、フィルタ装置切替ダンパ15，15ａを閉とすることによりバイパスダクト10を通して行う。設備開放点検時においてはバイパスダクト側バタフライダンパ14を閉とすることによりバイパス側フィルタ装置11内の高性能フィルタおよびチャコールエアフィルタ13を通して放射性よう素およびダクトの放出低減を図ることができる。排気ダクト４を通過した排気は常用設置の排気フィルタケーシング５から排風機６を通り、排気筒７から屋外へ放出される。
【００２０】
つぎに図２により本発明に係る原子力発電所の換気空調設備の第２の実施の形態を説明する。
図２中、図１と同一部分には同一符号を付して重複する部分の説明は省略する。本実施の形態が第１の実施の形態と異なる点は、よう素除去対象区域８に仮設の着脱自在のフィルタ装置16を設け、この着脱自在のフィルタ装置16の出口側に排気ライン17を接続して、この排気ライン17を排気ダクト４に接続したことにある。
【００２１】
着脱自在のフィルタ装置16には高性能フィルタ12およびチャコールエアフィルタ13が直列的に配置されている。排気ライン17は図１におけるバイパスダクト10に対応するものであるが、バイパスダクト側バタフライダンパ14は設けない。
【００２２】
ここで、本実施の形態では、外気は送風機１により給気ダクト２を通して放射線管理区域３へ給気される。そして、よう素除去対象区域８の排気は仮設の着脱自在のフィルタ装置16内に直列配置した高性能粒子フィルタ12およびチャコールエアフィルタ13を通過した後、排気ダクト４から排出する。よう素除去対象外区域９の排気を含む放射線管理区域３内の建屋の排気は排気ダクト４を通過した後、常用設置の排気フィルタケーシング５から排風機６を通り、排気筒７から屋外へ放出される。
【００２３】
本実施の形態によれば、よう素除去対象区域８からのよう素およびダストをそのよう素対象区域８に仮に設置した着脱自在のフィルタ装置16により除去して放射性よう素放出の低減を図ることができるとともに、着脱自在のフィルタ装置16をよう素除去対象区域８内に仮設することにより、前記フィルタ装置16の設置スペースを縮小化できる。
【００２４】
【発明の効果】
本発明によれば、放射線管理区域をよう素除去対象区域とよう素除去対象外区域とに区分して、よう素除去対象区域の排気ラインに高性能フィルタおよびチャコールエアフィルタを有するフィルタ装置を設け、その下流側排気ラインをよう素除去対象外区域の排気ラインに合流させて各排気ラインを切替えできるように構成している。
したがって、各々の排気ラインの切替操作を行うことにより、設備開放点検時に発生する放射性よう素およびダストの放出量を低減することができる。
【図面の簡単な説明】
【図１】本発明に係る原子力発電所の換気空調設備の第１の実施の形態を説明するための系統図。
【図２】本発明に係る原子力発電所の換気空調設備の第２の実施の形態を説明するための系統図。
【図３】従来の原子力発電所の換気空調設備を説明するための系統図。
【符号の説明】
１…送風機、２…給気ダクト、３…放射線管理区域、４…排気ダクト、５…排気フィルタケーシング、６…排風機、７…排気筒、８…よう素除去対象区域、９…よう素除去対象外区域、10…バイパスダクト、11…バイパス側フィルタ装置、12…高性能粒子フィルタ、13…チャコールエアフィルタ、14…バイパスダクト側バタフライダンパ、15，15ａ…フィルタ装置切替ダンパ、16…着脱自在のフィルタ装置、17…排気ライン。
【図１】
0004011241.tif 000002
【図２】
0004011241.tif 000003
【図３】
0004011241.tif 000004